(57)【要約】【課題】ＡＢＳセンサケーブル等のケーブルを保護しつつ保持するとともに、狭い空間での取付け作業も容易にできるケーブルクランプを提供する。【解決手段】ケーブルクランプ３は、被取付部材に取付けられる固定部７とケーブルを保持するクランプ部９とケーブルを保護する可撓性の保護部材２とを包含し、固定部とクランプ部とは硬質樹脂によって一体的に形成され、クランプ部９は、受入凹部１７を有する包持部１８と、受入凹部の開口を閉じるカバー２１とから成り、カバーは、一端がヒンジ２５で連結され、カバーの他端と包持部の他方の端部とには相互にロックする手段（２６、３１）が設けられ、保護部材２が、包持部１８に固定される包持部側部分４１と、カバーとほぼ平行に立上がるように延びるカバー側部分４２とから成り、カバーを閉じると、包持部側部分とカバー側部分とでケーブルの側面部分を包囲する。【選択図】          図９
2004242478.tif 000002
【特許請求の範囲】
【請求項１】
ボデーパネル等の被取付部材に取付けられる固定部と、ケーブルを保持するクランプ部とを包含し、ケーブルはその側面が可撓性の保護部材によって保護された状態で前記クランプ部に保持される、ケーブルクランプにおいて、
前記固定部と前記クランプ部とは硬質樹脂によって一体的に形成され、前記クランプ部は、前記ケーブルを受入れる受入凹部を有する包持部と、該包持部の前記受入凹部の開口を閉じるカバーとから成り、該カバーは、その一端が前記包持部の前記開口に隣接する一方の端部部分にヒンジで連結され、該カバーの他端と前記開口に隣接する前記包持部の他方の端部とには相互にロックするロック手段が設けられ、前記保護部材が、前記受入凹部に受入れられるケーブルの側面を部分的に包囲するように前記包持部に固定される包持部側部分と、該包持部側部分から前記ヒンジに隣接する位置において立上がるように延びるカバー側部分とから成り、該カバー側部分は、開放状態にあるカバーから離れてほぼ平行に延びるように形成され、前記カバーが閉じると、前記包持部側部分で包囲されていないケーブルの側面部分を包囲するように該カバーによってケーブルに押圧されることを特徴とするケーブルクランプ。
【請求項２】
請求項１に記載のケーブルクランプにおいて、前記受入凹部は一対の湾曲壁部によってＵ字形状に形成されており、前記カバーは、一方の湾曲壁部の端部から前記ヒンジを介して該一方の湾曲壁部の垂直部と平行に延びるように形成され、前記受入凹部を開放する状態に維持されていることを特徴とするケーブルクランプ。
【請求項３】
請求項２に記載のケーブルクランプにおいて、前記保護部材のカバー側部分は、前記カバーの中間高さ位置まで該カバーと平行に延びる長さに形成されていることを特徴とするケーブルクランプ。
【請求項４】
請求項２に記載のケーブルクランプにおいて、前記保護部材のカバー側部分は、前記カバーの中間高さ位置まで該カバーとほぼ平行に直立する直立部分と、該直立部分から更に延びて端部が前記カバーの上部に連結される延長部分とから成ることを特徴とするケーブルクランプ。
【請求項５】
請求項１〜４のいずれか１項に記載のケーブルクランプにおいて、前記カバーには、前記保護部材を介してケーブル側面を押える部分に、ケーブル側面の周方向に延びる突出リブが形成され、カバーを閉じたとき、前記突出リブは、前記保護部材を介してケーブルを軸方向に移動しないように押圧することを特徴とするケーブルクランプ。
【請求項６】
請求項１〜５のいずれか１項に記載のケーブルクランプにおいて、前記包持部の前記一方の端部部分と前記カバーの前記一端とには、前記ヒンジとは別に、該カバーが閉じ状態にあるとき相互に連結するための係止手段が設けられていることを特徴とするケーブルクランプ。
【請求項７】
請求項１〜６のいずれか１項に記載のケーブルクランプにおいて、前記固定部は、被取付部材のおもて面に面する基部と、被取付部材の取付穴に挿入されて該被取付部材の裏面に係止する係止爪と、前記基部から前記係止爪側に延びて前記被取付部材のおもて面に弾性的に係合する一対の弾性片とを包含し、該弾性片は被取付部材の厚さの変化に対応して前記係止爪の係止機能を維持することを特徴とするケーブルクランプ。
【請求項８】
請求項１〜７のいずれか１項に記載のケーブルクランプにおいて、前記固定部と前記クランプ部とが硬質樹脂材料によって一体成形されて一次成形品として形成され、前記包持部の受入凹部には該凹部表面との間に穴を有するブリッジが形成され、前記保護部材は、前記包持部側部分が前記ブリッジを取り巻くように、二次成形によって形成されることを特徴とするケーブルクランプ。
【発明の詳細な説明】
【０００１】
【発明の属する技術分野】
本発明は、ケーブルクランプに関し、例えば、アンチロック・ブレーキ・システム（ＡＢＳ）の回転センサの信号ケーブル等のケーブルをボデーパネル等の被取付部材に取付けるケーブルクランプに関する。
【０００２】
【従来の技術】
ＡＢＳ（アンチロック・ブレーキ・システム）の回転センサの信号ケーブル等のケーブルをボデーパネル等の被取付部材に取付けるには、ケーブル側面を保護部材で巻き回した後、保護部材付きケーブルをケーブルクランプで保持してボデーパネルに取付けている。
【０００３】
特開平１１‐６９５７３号公報（特許文献１）には、ＡＢＳのセンサのケーブルをホイールハウスから壁を隔ててエンジンルーム等に引込む際に用いるケーブル保持装置が開示されている。このケーブル保持装置は、隔壁の取付穴をケーブルが貫通するとともに、その隔壁にケーブルを回転せずに且つ軸方向移動しないように保持する構造を有する。
【０００４】
実開昭５５−１２０８７３号公報（特許文献２）は、ワイヤハーネス等の棒状体をパネルに取付ける固定具を開示している。この固定具は、Ｕ字形状の保持部と、保持部の開口を閉じる蓋部と、パネルの取付穴に挿入して係止する錨脚形状の固定部とを有する。Ｕ字形状保持部にワイヤハーネス等を開口から保持部に入れて蓋部を一端のヒンジを中心に回転して他端を保持部のロックに係止するとワイヤハーネス等が固定具に固定される。固定部がパネルの取付穴に挿入されるとパネルに固定具全体が固定され、ワイヤハーネス等がパネルに固定される。
【０００５】
特開平２−２９２５９１号公報（特許文献３）は、チューブ等を支持する防振クランプを開示している。防振クランプは、軟質樹脂材料のインシュレータ（防振材）を保持してその中にチューブ等を格納し、ヒンジ留めされたカバーを閉じてチューブ等を格納保持する。防振クランプには、パネルの取付穴に挿入することによってパネルに固定される固定部が設けられ、チューブ等がパネルに防振状態で取付けられる。
【０００６】
実開平４−７５２８９号公報（特許文献４）は、特許文献３とは別の形状の防振クランプを開示する。この防振クランプでは、チューブ等を保持する軟質樹脂材料の防振部が、チューブの側面を半周ずつ保持するように２分され、一方の防振部はＵ字形状の保持部に固定され、他方の防振部が保持部にヒンジ留めされた蓋部に固定されている。防振クランプには、パネルに固定される固定部が設けられ、蓋部が保持部の開口部を閉じると、防振部がチューブ等を包持し、チューブ等が防振部を介してパネルに防振状態で取付けられる。
【０００７】
特開平１０−１３６５３９号公報（特許文献５）は、ケーブルやチューブ等をパネル等に保持する保持具を開示している。この保持具は、パネルに固定する固定部が設けられた基部と、基部にヒンジ留めされた蓋部（湾曲部）とから成り、基部と蓋部にはそれぞれ熱可塑性エラストマー（ＴＰＥ）から成る弾性材が固着されている。基部の弾性材と蓋部の弾性材との間にケーブル等を配置して、ヒンジ留めされた蓋部を閉じれば、チューブ等が保持具に格納保持される。基部の固定部をパネルの取付穴に挿入することによって、チューブ等が弾性材で保護された状態でパネルに取付けられる。
【０００８】
【特許文献１】
特開平１１−６９５７３号公報
【特許文献２】
実開昭５５−１２０８７３号公報
【特許文献３】
特開平２−２９２５９１号公報
【特許文献４】
実開平４−７５２８９号公報
【特許文献５】
特開平１０−１３６５３９号公報
【０００９】
【発明が解決しようとする課題】
ケーブル側面を保護部材で巻き回しした後、保護部材付きケーブルをケーブルクランプで保持してボデーパネルに取付けるのは、ケーブル側面を保護部材で巻き回しする面倒な作業を必要とし、好ましくない。特許文献１（特開平１１‐６９５７３号公報）のケーブル保持装置は、隔壁を貫通する場合のケーブルの保持に適しているが、ケーブルをボデーパネル等に固定するのには使用できない。特許文献２（実開昭５５−１２０８７３号公報）の固定具は、従来の、ケーブル等をボデーパネル等に固定するケーブルクランプとして使用できる。しかし、保持するケーブル等を傷つかないように保護しながら保持する構成がなく、ケーブル等の外面を傷付ける惧れがある。従って、ケーブル側面を保護部材で巻き回しする面倒な作業を必要とし、好ましくない。特許文献３（特開平２−２９２５９１号公報）の防振クランプは、チューブ等を保護して保持する構成を有するが、軟質材のインシュレータ（防振材）でチューブ等を包囲して支持しているので、保持力が強くなく、ケーブル等を不動に保持するのには適していない。特許文献４（実開平４−７５２８９号公報）の防振クランプは、管状部材を保護する防振部を有するが、Ｕ字形状の保持部を閉じる蓋部が保持部とほぼ平行に倒されていないと保持部の開口が十分に開放しない。管状部材を保持部へ配置するのを容易にするために蓋部の大きく開放するための空間を必要とし、ホイールハウスやエンジンルーム等の限られた場所での使用には適していない。特許文献５（特開平１０−１３６５３９号公報）の保持具は、ケーブル等を保護して保持する構成があるが、蓋部側の弾性材は蓋部に固着されていて、蓋部を保持部とほぼ平行に倒さないと保持部の開口が十分に開放しないので、蓋部の開放のための広い空間を必要とし、ホイールハウスやエンジンルーム等の限られた場所での使用には適していない。
【００１０】
従って、本発明の目的は、ＡＢＳセンサケーブル等のケーブルを保護しつつ保持するとともに、狭い空間での取付け作業も容易にすることのできるケーブルクランプを提供することにある。
【００１１】
【課題を解決するための手段】
かかる目的を達成するため、本発明のケーブルクランプは、ボデーパネル等の被取付部材に取付けられる固定部とケーブルを保持するクランプ部を包含し、ケーブルはその側面が可撓性の保護部材によって保護された状態でクランプ部に保持されるものであり、このケーブルクランプは、固定部とクランプ部とが硬質樹脂によって一体的に形成され、クランプ部は、ケーブルを受入れる受入凹部を有する包持部と、該包持部の受入凹部の開口を閉じるカバーとから成り、該カバーは、その一端が包持部の開口に隣接する一方の端部部分にヒンジで連結され、該カバーの他端と開口に隣接する包持部の他方の端部とには相互にロックするロック手段が設けられ、保護部材が、受入凹部に受入れられるケーブルの側面を部分的に包囲するように包持部に固定される包持部側部分と、該包持部側部分からヒンジに隣接する位置において立上がるように延びるカバー側部分とから成り、該カバー側部分は、開放状態にあるカバーから離れてほぼ平行に延びるように形成され、カバーが閉じると、包持部側部分で包囲されていないケーブルの側面部分を包囲するように該カバーによってケーブルに押圧されることを特徴とする。
【００１２】
上記ケーブルクランプによれば、保護部材の包持部側部分の上にＡＢＳセンサケーブル等のケーブルを配置してカバーを閉じるだけで、ケーブルには保護部材が巻回された状態でケーブルクランプに保持されるので、保護部材の巻回作業を不要にし、固定部とクランプ部とが硬質樹脂によって一体的に形成され、可撓性の保護部材で保護されたケーブルがカバーによって包持部に押圧されて保持されるので、ケーブルは保護されつつ強固に保持され、保護部材のカバー側部分はカバーに接合せずに開放状態のカバーに平行に立上がっているので、カバーを大きく開放しなくてもケーブルを保護部材上に容易に配置することができ、狭い空間での取付け作業を容易にする。
【００１３】
上記ケーブルクランプにおいて、受入凹部を一対の湾曲壁部によってＵ字形状に形成し、カバーを、一方の湾曲壁部の端部からヒンジを介して該一方の湾曲壁部の垂直部と平行に延びるように形成し、カバーが受入凹部を開放する状態に維持されるのが好ましい。これによって、開放状態のカバーが占める空間を一層小さくできる。
【００１４】
上記ケーブルクランプにおいて、保護部材のカバー側部分は、カバーの中間高さ位置まで該カバーと平行に延びる長さに形成される。これとは別に、保護部材のカバー側部分は、カバーの中間高さ位置まで該カバーとほぼ平行に直立する直立部分と、該直立部分から更に延びて端部がカバーの上部に連結される延長部分とから成るのも好ましい。延長部分は、直立部分の上方のカバー側の開口を塞ぐので開口への配置ミスを防止でき、ケーブルを包持部側部分に適正に導いてケーブルを保護部材の包持部側部分に配置するのを確実にする。
【００１５】
上記ケーブルクランプにおいて、カバーには、保護部材を介してケーブル側面を押える部分に、ケーブル側面の周方向に延びる突出リブが形成され、カバーを閉じたとき、突出リブは、前記保護部材を介してケーブルを軸方向に移動しないように押圧するのが好ましい。これにより、ケーブルを一層強固に保持できる。
また、包持部の前記一方の端部部分と前記カバーの前記一端とには、ヒンジとは別に、該カバーが閉じ状態にあるとき相互に連結するための係止手段が設けられているのが好ましい。これにより、ヒンジが破断しても、カバーの閉じ状態がそのまま維持される。
【００１６】
また、上記ケーブルクランプにおいて、固定部は、被取付部材のおもて面に面する基部と、被取付部材の取付穴に挿入されて被取付部材の裏面に係止する係止爪と、基部から係止爪側に延びて被取付部材のおもて面に弾性的に係合する一対の弾性片とを包含し、弾性片は被取付部材の厚さの変化に対応して係止爪の係止機能を維持するのが好ましい。これによって、被取付部材の厚さが変化しても、１種類のケーブルクランプを使用できる。
【００１７】
更に上記ケーブルクランプにおいて、固定部とクランプ部とが硬質樹脂材料によって一体成形されて一次成形品として形成され、保護部材は、一次成形品の包持部の受入凹部に包持部側部分が接合するように、包持部の受入凹部には該凹部表面との間に穴を有するブリッジが形成され、保護部材は、その包持部側部分がブリッジを取り巻くように、二次成形によって形成されて最終成形品とすることができる。これによって、保護部材が包持部に確実に固着し包持部からの剥離を確実に阻止できる。なお、保護部材の形成は、２色成形又はインサート成形によって行える。これによって、保護部材を一次成形品に組み付ける工数を減らすことができる。
【００１８】
【発明の実施の形態】
以下、本発明の実施例に係る、ＡＢＳ（アンチロック・ブレーキ・システム）のセンサケーブル等のケーブルのケーブルクランプについて図面を参照しながら説明する。図１〜図１２には、本発明の第１実施例に係るケーブルクランプが示されており、そのうち、図１〜図８には、保護部材が形成されていない、硬質樹脂から成る一次成形品であるクランプ１が示され、図９〜図１０には、本発明の第１実施例に係る、保護部材が形成されたケーブルクランプ３が示されている。
このケーブルクランプ３は、一次成形品のクランプ１に、軟質樹脂から成る可撓性の保護部材２が、所定位置に形成された二次成形品（最終成形品）である。図１１及び図１２は、ケーブルクランプ３にケーブル５を保持してボデーパネル６等の被取付部材に固定する作業を示している。
【００１９】
先ず、図１〜図８を参照して一次成形品のクランプ１を説明する。一次成形品のクランプ１は、ボデーパネル等の被取付部材に取付けられる固定部７（図１の下方の２点鎖線の矩形で囲まれている部分）と、ケーブルを保持するクランプ部９（図１の上方の２点鎖線の矩形で囲まれている部分）とを包含する。固定部７とクランプ部９とは、硬質樹脂によって一体的に形成されて、一次成形品としてクランプ１を構成する。
【００２０】
固定部７は、パネル等の被取付部材に取付けできるものであれば、任意のものでよい。例えば、図示のように、被取付部材の取付穴に挿入して係止する錨脚形状の固定部でよい。被取付部材にＴスタッドやスタッドボルト（図示せず）が立設されている場合には、そのスタッドに係止する構成の固定部でもよい。本実施例においては、固定部７は、図示のように、被取付部材の取付穴に挿入されて係止する錨脚形状に形成されるものが用いられる。固定部７は、被取付部材のおもて面に面する基部１０と、該基部１０から下方に延びる軸部１１と、軸部１１の先端から基部１０の側に向けて軸部１１から離れるように斜めに延び、被取付部材の取付穴に挿入されて被取付部材の裏面に係止する、一対の弾性係止爪１３とを包含する。各係止爪１３には、被取付部材の厚さの違いに対応できるように、複数の係止段部が形成されている。
【００２１】
軸部１１は、図１、図３、図４、及び、図７（図１の７−７線断面図）に図示のように、全体として板状の柱で形成される。軸部１１の基部１０に近い位置には、水平方向に張り出された半円筒状部１４（図７に最もよく示されている）が形成される。この半円筒状部１４は、被取付部材の取付穴の形状に合わせて形成されており、固定部７の取付けの向きを定め、被取付部材へ取付けた時のクランプ部９を所定の向きに定める。固定部７には、更に、基部１０から係止爪１３の側に延びて被取付部材のおもて面に弾性的に係合する一対の弾性片１５が設けられている。図３に図示のように、各弾性片１５は、被取付部材への係合面積が大きく且つ強度が高く維持されるように、クランプ１の幅と同じ幅の弾性の板状体に形成されている。各弾性片１５は、被取付部材に弾性的に押圧係合して、軸部１１を引上げるように作用し、各係止爪１３が被取付部材裏面を押圧する力を強化して、係止爪１３の被取付部材への係止力を強固にするとともに、被取付部材の厚さがばらついていてもその変化に対応して係止爪１３の係止力の機能を維持する。これによって、被取付部材の厚さが変化しても、１種類のケーブルクランプで対応できる。
【００２２】
クランプ部９は、ケーブルを受入れる受入凹部１７を有する包持部１８と、包持部１８の受入凹部１７の開口１９を閉じるカバー２１とから構成される。包持部１８は、Ｕ字形状の受入凹部１７を形成する一対の湾曲壁部２２及び２３を有する。一対の湾曲壁部２２、２３は、下部が固定部７の基部１０と一体になっており、基部１０付近で相互に離れるように湾曲し、上方部分は垂直に上方に延びている。一方の湾曲壁部２２の上端には薄肉の板形状のヒンジ２５が一体的に連結されている。そのヒンジ２５の他端にはカバー２１が一体的に連結され、ヒンジ２５を中心にカバー２１が旋回して包持部１８の受入開口１９の開閉を行う。
他方の湾曲壁部２３の上端には、ヒンジ２５を中心に旋回したカバー２１を閉じ状態にロックするためのロック爪２６が設けられている。ロック爪２６は、湾曲壁部２３の上端から折返すアーム形状に形成され、カバー２１のロック状態の解除をするように撓めることができる。なお、図１、図２、図４及び図６（図２の矢印６からの矢視図）に図示のように、ロック爪２６は幅の狭い板状体に形成され、ロック爪２６の一方の側に上下に延びるリブ形状のガイド２７が形成されている。ガイド２７は、カバー２１のガイド壁と協働して、カバー２１が閉じるとき及び閉じた後、カバー２１が包持部１８に対してケーブルの軸方向（図１の紙面に垂直な方向）にずれるのを規制する。
【００２３】
湾曲壁部２２、２３が基部１０に連結する部分には、ブリッジ２８が形成されている。ブリッジ２８は、受入凹部の表面から浮いた部分を有する形状に形成されて、ブリッジ２８には、基部１０の表面との間に穴２９が形成される。包持部１８の受入凹部１７へ形成される保護部材は、穴２９の中に入ってブリッジ２８を包囲することができ、それによって、保護部材が包持部１８に確実に固着して剥離するのを阻止できる。更に、ヒンジ２５が設けられた湾曲壁部２２の端部には、ヒンジ２５とは別に、カバー２１が閉じ状態にあるとき、カバー２１の係止穴に形成された係止肩に係止する係止フック３０が設けられている。
【００２４】
カバー２１は、初期状態において、一方の湾曲壁部２２の端部から水平に延びるヒンジ２５を介して、一方の湾曲壁部２２の垂直に延びる部分と平行に上方に延びるように形成されて、カバー２１が受入凹部１７を大きく開放する状態に維持される。カバー２１は開放状態であっても水平方向には場所を占有せず、カバーの占有空間を小さくできる。カバー２１は、ヒンジ２５を中心に旋回して包持部１８の受入凹部１７に受入れらたケーブルを保持するように、ケーブルに対向する面はケーブルの側面形状に合わせてやや湾曲した形状に形成される。カバー２１のヒンジ２５と反対側の端部には、ロック爪２６に係合して、カバー２１を閉じ状態に維持するフック３１が形成されている。フック３１に隣接する位置には、ロック爪２６を収容する空間３３が形成されている。更に、この空間３３の側面は窓３４に通じていて、この窓３４から、スクリュードライバの先端を挿入して、ロック爪２６のロックを解除できるようになっている。窓３４からフック３１の先端側には図１に図示のように、ガイド壁３５が形成されている。このガイド壁３５は、ロック爪２６のガイド２７と協働して、カバー２１が閉じるとき及び閉じた後、カバー２１が包持部１８に対してケーブルの軸方向（図１の紙面に垂直な方向）にずれるのを規制する。
【００２５】
ヒンジ２５が設けられた側のカバー２１の端部には、湾曲壁部２２の係止フック３０を受入れる係止穴３７が形成され、係止穴３７は、一部の縁部が、係止フック３０に係止する係止肩３８を形成している。係止フック３０が係止肩３８に係止することによって、ヒンジ２５が破断してもカバー２１は閉じ状態に維持される。また、カバー２１には、ケーブルの側面を押える部分に、ケーブル側面の周方向に細長く延びる突出リブ３９が形成される。カバー２１を閉じたとき、突出リブ３９は、保護部材を介して、ケーブルをその軸方向に移動しないように押圧する。これにより、ケーブルを一層強固に保持できる。
【００２６】
本発明においては、図１〜図８に示すクランプ１が一次成形品として一体的に形成された後、クランプ１には、図９及び図１０に図示のように、熱可塑性エラストマー（ＴＰＥ）等の軟質樹脂材料で成る、可撓性の保護部材２がクランプ部９の所定位置に接合されて、二次成形品としての、本発明に係るケーブルクランプ３に形成される。保護部材２は、クランプ部９の包持部１８の受入凹部１７に受入れられるケーブル側面を下面部分を包囲するように、包持部１８の受入凹部１７の底面側に接合される包持部側部分４１と、包持部側部分４１からヒンジ２５に隣接する位置において立上がるように延びて、ケーブル側面の残りの部分すなわち上面部分を包囲するカバー側部分４２とから成る。保護部材２は、包持部側部分４１が受入凹部１７底面に接合し且つカバー側部分４２がカバー２１から離れてほぼ平行に立上がるように、２色成形又はインサート成形によって形成することができる。これにより、保護部材の組付工数を減らすことができる。保護部材２は、ケーブル側面を傷つかないように保護し、カバー側部分４２が撓むことができる可撓性を有する材料で形成され、熱可塑性エラストマー（ＴＰＥ）が代表的な材料である。包持部側部分４１は、包持部１８の表面に融着して包持部１８に固定される。更に、包持部側部分４１は、溶融状態のときブリッジ２８の穴２９に入り込んでブリッジ２８を包囲した状態で固化し、包持部１８に確実に固着するとともに、包持部側部分４１が包持部１８から剥離するのを阻止する。
包持部側部分４１には、ケーブルの配設を容易にするためのケーブル受入溝４３が形成されている。
【００２７】
保護部材のカバー側部分４２は、包持部側部分４１と一体であり、開放状態で垂直方向に立上がるカバー２１に対して、離れた状態でほぼ平行に立上がり且つカバー２１の中間高さ位置まで延びるように形成されている。カバー側部分４２は、ＴＰＥ等の可撓性材料で成り、包持部側部分４１から直立した状態にあるので、ケーブルを包持部側部分４１のケーブル受入溝４３へのケーブルの受入れを容易にする。ケーブルが配設された状態でカバー２１が閉じると、カバー側部分４２は、包持部側部分４１で包囲されていないケーブル側面部分すなわちケーブルの上面部分を包囲するように、カバー２１によってケーブルに押圧される。これにより、ケーブルへ保護部材を巻き回す作業を不要にする。カバー側部分４２は、カバー２１に接合せずに開放状態のカバーと平行に立上がっているので、カバー２１を大きく開放しなくてもケーブルを保護部材上に容易に配置することができ、狭い空間での取付け作業を容易にする。
【００２８】
図１１及び図１２を参照して、ケーブルクランプ３を用いて、ＡＢＳセンサケーブル等のケーブル５をボデーパネル６に取付ける作業を説明する。図１１において、作業者はケーブル５をケーブルクランプ３の包持部１８の受入凹部１７に固定された保護部材２の包持部側部分４１のケーブル受入溝４３に配設する（矢印４５）。ケーブル５がケーブル受入溝４３に配設された後、カバー２１を、図１２の矢印４６の方向にヒンジ２５を中心に旋回させ、保護部材のカバー側部分４２をケーブル側に撓めて押圧し、カバー側部分４２で包持部側部分４１で包囲されていないケーブルの上面部分を包囲させる。これによって、ケーブル５が保護部材２で包囲され巻回されて保護される。カバー２１が、図１２の状態に旋回すると、ロック爪２６にフック３１が係合して、カバー２１が閉じ状態にロックされる。また、この閉じ状態では、ヒンジ２５に隣接する係止肩３８が、包持部１８のヒンジ２５に隣接する係止フック３０に係止して、閉じ状態を維持する。
このため、ヒンジ２５が破断したとしてもカバー２１の閉じ状態は維持される。
【００２９】
カバー２１の閉じ状態において、カバー２１に形成された突出リブ３９が、保護部材のカバー側部分４２をケーブル５の側面に強く押圧する。このため、ケーブル５は、その軸方向のずれが強固に規制され、クランプ部９は、ケーブル５を軸方向に移動しないように保持する。ケーブルクランプ３がボデーパネル６に取付けられた状態で、ケーブル５の軸方向の位置ずれを防止できる。固定部７の軸部１１及び係止爪１３は、ボデーパネル６の取付穴４７に挿入されて、各係止爪１３の係止段部がボデーパネル６の裏面に係合して、ケーブルクランプ３がボデーパネル６に固定される。固定部７の弾性片１５は、ボデーパネル６のおもて面に弾性的に係合し、係止爪１３を引上げて係止力を強化し、また、係止爪１３の係止力を、ボデーパネル６の板厚のばらつき（ひいては変化）にかかわらず維持する。なお、ケーブル５をケーブルクランプ３に保持すること、及びケーブルクランプ３をボデーパネル６に固定することは、どちらが先であってもよい。すなわち、ケーブル５をケーブルクランプ３に先に取付けた後、ケーブルクランプ３をボデーパネル６に取付けてもよいが、ケーブルクランプ３をボデーパネル６に先に取付けた後、ケーブル５をケーブルクランプ３に取付けてもよい。このようにして、カバー２１を閉じるだけで、ケーブル５には保護部材２が巻回された状態でケーブルクランプに保持され、保護部材の巻回作業が不要になり、保護部材のカバー側部分は開放状態のカバーから離れて立上がっているので、カバーを大きく開放しなくてもケーブルを保護部材上に容易に配置することができ、狭い空間での取付け作業を容易にする。
【００３０】
図１３〜図１５は、本発明の第２実施例に係るケーブルクランプ４９（図１３の一次成形品のクランプ４８に図１４の保護部材２Ａが接合したもの）を示している。第２実施例のケーブルクランプ４９において、第１実施例のケーブルクランプ３と違う構成は、図１４に図示のように、保護部材２Ａのカバー側部分５０が、カバー２１Ａの中間高さ位置までカバーとほぼ平行に直立する直立部分５１と、直立部分５１から更に延びて端部がカバー２１Ａの上部の連結部５３に連結される延長部分５４とから成る点、並びに、カバー２１Ａに、延長部分５４の端部が連結される連結部５３が設けられる点である。その他の構成は、第１実施例のケーブルクランプ３とほぼ同じである。図１３〜図１５に示すケーブルクランプ４９の構成要素において、第１実施例のケーブルクランプ３と同じ構成要素には同じ符号を付けて、その説明を省略する。必要に応じて、第１実施例のケーブルクランプ３の説明を参照されたい。
【００３１】
ケーブルクランプ４９（クランプ４８も含む）について、第１実施例のケーブルクランプ３と違う構成要素の詳細を説明する。図１４〜図１５に示すように、クランプ部９Ａに形成される保護部材２Ａは、包持部１８に固着される包持部側部分４１とカバー側部分５０とから成る。カバー側部分５０は、カバー２１Ａの中間高さ位置までカバー２１Ａとほぼ平行に垂直方向に延びる直立部分５１と、直立部分５１から更に上方にカバー２１Ａに近づくように延びて上方端部がカバー２１Ａの上部の連結部５３に連結される延長部分５４とから成る。延長部分５４の上方端部は、保護部材２Ａを形成するとき、カバー２１Ａの上部の連結部５３に融着するように形成される。連結部５３は、包持部１８のブリッジ２８及びその穴２９と同様に、穴が設けられたブリッジ形状に形成される。保護部材２Ａの延長部分５４の上方端部が、連結部５３の穴５５の中に入って連結部５３を包囲するように形成され、それによって、保護部材２Ａの延長部分５４が連結部５３に確実に固着し、延長部分５４が連結部５３から剥離するのを阻止できる。延長部分５４は、直立部分５１の上端とカバー２１Ａとの間の開口（第１実施例のケーブルクランプ３において図９及び図１１に見える）を塞ぐ。従って、図１５に示すように、ケーブル５は、直立部分５１とカバー２１Ａの間の空間には入らなくなり、ケーブル５の配置ミスを防止することができる。すなわち、図１５に図示のように、延長部分５４及び直立部分５１から成るカバー側部分５０は、ケーブル５を包持部側部分４１のケーブル受入溝４３に適正に導いてケーブ５ルを保護部材２Ａの包持部側部分４１のケーブル受入溝４３に配置するのを確実にする。
【００３２】
【発明の効果】
本発明によれば、保護部材の包持部側部分の上にＡＢＳセンサケーブル等のケーブルを配置してカバーを閉じるだけで、ケーブルには保護部材が巻回された状態でケーブルクランプに保持されるので、保護部材の巻回作業を不要にし、固定部とクランプ部とが硬質樹脂によって一体的に形成され、可撓性の保護部材で保護されたケーブルがカバーによって包持部に押圧されて保持されるので、ケーブルは保護されつつ強固に保持され、保護部材のカバー側部分はカバーに接合せずに開放状態のカバーに平行に立上がっているので、カバーを大きく開放しなくてもケーブルを保護部材上に容易に配置することができ、狭い空間での取付け作業を容易にする。
【図面の簡単な説明】
【図１】本発明の第１実施例に係る、保護部材を形成する前のクランプの正面図である。
【図２】図１のクランプの平面図である。
【図３】図１のクランプの右側面図である。
【図４】図１のクランプの背面図である。
【図５】図１のクランプの５−５線断面図である。
【図６】図２のクランプの矢印６の矢視図である。
【図７】図１のクランプの７−７線断面図である。
【図８】図４のクランプの８−８線断面図である。
【図９】本発明の第１実施例に係る、保護部材を形成した後のケーブルクランプの正面図である。
【図１０】図９のケーブルクランプの平面図である。
【図１１】図９のケーブルクランプにケーブルを保持する前の、ケーブルクランプの正面図である。
【図１２】図１１のケーブルクランプにケーブルを保持し、ケーブルクランプをボデーパネルに取付けた様子を示す、ケーブルクランプの正面図である。
【図１３】本発明の第２実施例に係る、保護部材を形成する前のクランプの正面図である。
【図１４】図１３の本発明の第２実施例に係るケーブルクランプに、保護部材を形成した後のケーブルクランプの部分正面図である。
【図１５】図１３のケーブルクランプにケーブルを保持する前の、ケーブルクランプの部分正面図である。
【符号の説明】
１  第１実施例に係る、防振材のないクランプ
２、２Ａ  保護部材
３  第１実施例に係るケーブルクランプ
５  ケーブル
６  ボデーパネル
７  固定部
９、９Ａ  クランプ部
１０  基部
１１  軸部
１３  係止爪
１４  半円筒状部
１５  弾性片
１７  受入凹部
１８  包持部
１９  開口
２１、２１Ａ  カバー
２２、２３  湾曲壁部
２５  ヒンジ
２６  ロック爪
２７  ガイド
２８  ブリッジ
２９  穴
３０  係止フック
３１  フック
３３  空間
３４  窓
３５  ガイド壁
３７  係止穴
３８  係止肩
３９  突出リブ
４１  保護部材の包持部側部分
４２  保護部材のカバー側部分
４３  ケーブル受入溝
４８  第２実施例に係る、防振材のないクランプ
４９  第２実施例に係るケーブルクランプ
５０  保護部材のカバー側部分
５１  直立部分
５３  連結部
５４  延長部分
５５  穴
【図１】
2004242478.tif 000003
【図２】
2004242478.tif 000004
【図３】
2004242478.tif 000005
【図４】
2004242478.tif 000006
【図５】
2004242478.tif 000007
【図６】
2004242478.tif 000008
【図７】
2004242478.tif 000009
【図８】
2004242478.tif 000010
【図９】
2004242478.tif 000011
【図１０】
2004242478.tif 000012
【図１１】
2004242478.tif 000013
【図１２】
2004242478.tif 000014
【図１３】
2004242478.tif 000015
【図１４】
2004242478.tif 000016
【図１５】
2004242478.tif 000017